(57)【特許請求の範囲】
【請求項１】
一定個数のパチンコ球を封入した状態で循環使用する循環式パチンコ機であって、
本体枠に組み付けられた遊技盤の遊技盤面に発射されたパチンコ球を回収する裏回収誘導部と、その裏回収誘導部から出たパチンコ球を貯留して誘導する貯留誘導部と、貯留誘導部のパチンコ球を受け入れてそのパチンコ球を打球位置へ送り出す待機誘導部と、を連通状に有する循環通路と、
前記打球位置へ送り込まれたパチンコ球を前記遊技盤の遊技盤面に発射させる打球ハンマと、その打球ハンマを駆動する駆動手段と、を有する発射装置と、
前記発射装置の駆動手段を制御する発射装置制御基板と、
前記貯留誘導部のパチンコ球を前記待機誘導部へ回転動作によって送り出す球送り部材と、その球送り部材を回転駆動する球送りモータと、を有する球循環用の球送り装置と、
前記待機誘導部に設けられた待機球検出スイッチによる球の不在の検出に基づいて前記球循環用の球送り装置の球送りモータを駆動制御する球循環制御基板と、を備え、
前記本体枠の下部には取付基板を装着し、
前記取付基板には、前記循環通路の裏回収誘導部、貯留誘導部及び待機誘導部と、前記発射装置と、前記発射装置制御基板と、前記球循環用の球送り装置と、前記球循環制御基板と、をそれぞれ配設する一方、
前記球循環制御基板と、前記発射装置制御基板と、前記遊技盤面に配設された入賞装置の取扱いを主として処理制御するメイン基板と、をコネクタによって電気的に接続し、
しかも、前記循環通路の裏回収誘導部、貯留誘導部及び待機誘導部は、前記取付基板の一面側に設けられ、
前記貯留誘導部は、パチンコ球を縦列して貯留する左右の第１、第２縦通路と、これら左右の第１、第２縦通路の下端をＵターン状に連通する方向変換通路と、を有し、前記第１縦通路の上端は前記裏回収誘導部に連通し、前記第２縦通路の上端は前記待機誘導部に連通し、
さらに、前記球送り部材は、前記方向変換通路に設けられていることを特徴とする循環式パチンコ機。
【発明の詳細な説明】
【０００１】
【産業上の利用分野】
この発明は循環式パチンコ機に関する。
【０００２】
【従来の技術】
所定個数分のパチンコ球と同等の価値を有するゲーム専用のカードを購入してその金額のうちから必要な金額を持ち球と交換し、パチンコ機内に封入された一定個数のパチンコ球を循環させてゲームを行う循環式パチンコ機が提案されている。
【０００３】
【発明が解決しようとする課題】
本発明は循環式パチンコ機を構成する制御装置および制御回路用基板の組立てを円滑化することを課題とするものである。
【０００４】
【課題を解決するための手段】
この発明の請求項１に係る循環式パチンコ機は、一定個数のパチンコ球を封入した状態で循環使用する循環式パチンコ機であって、
本体枠に組み付けられた遊技盤の遊技盤面に発射されたパチンコ球を回収する裏回収誘導部と、その裏回収誘導部から出た球を貯留して誘導する貯留誘導部と、貯留誘導部のパチンコ球を受け入れてそのパチンコ球を打球位置へ送り出す待機誘導部と、を連通状に有する循環通路と、
前記打球位置へ送り込まれたパチンコ球を前記遊技盤の遊技盤面に発射させる打球ハンマと、その打球ハンマを駆動する駆動手段と、を有する発射装置と、
前記発射装置の駆動手段を制御する発射装置制御基板と、
前記貯留誘導部のパチンコ球を前記待機誘導部へ回転動作によって送り出す球送り部材と、その球送り部材を回転駆動する球送りモータと、を有する球循環用の球送り装置と、
前記待機誘導部に設けられた待機球検出スイッチによる球の不在の検出に基づいて前記球循環用の球送り装置の球送りモータを駆動制御する球循環制御基板と、を備え、
前記本体枠の下部には取付基板を装着し、
前記取付基板には、前記循環通路の裏回収誘導部、貯留誘導部及び待機誘導部と、前記発射装置と、前記発射装置制御基板と、前記球循環用の球送り装置と、前記球循環制御基板と、をそれぞれ配設する一方、
前記球循環制御基板と、前記発射装置制御基板と、前記遊技盤面に配設された入賞装置の取扱いを主として処理制御するメイン基板と、をコネクタによって電気的に接続し、
しかも、前記循環通路の裏回収誘導部、貯留誘導部及び待機誘導部は、前記取付基板の一面側に設けられ、
前記貯留誘導部は、パチンコ球を縦列して貯留する左右の第１、第２縦通路と、これら左右の第１、第２縦通路の下端をＵターン状に連通する方向変換通路と、を有し、前記第１縦通路の上端は前記裏回収誘導部に連通し、前記第２縦通路の上端は前記待機誘導部に連通し、
さらに、前記球送り部材は、前記方向変換通路に設けられていることを特徴とする。
【０００５】
【作用】
前記構成において、駆動手段が起動され打球ハンマが駆動されると、打球位置にあるパチンコ球が遊技盤の遊技盤面に発射される。
遊技盤面に発射されて循環通路の裏回収誘導部に回収されたパチンコ球は、その裏回収誘導部から出て貯留誘導部に貯留される。
一方、待機誘導部に停留していたパチンコ球が打球位置へ向けて送り出され、待機球検出スイッチによるパチンコ球の不在を検出すると、球循環制御基板によって球循環用の球送り装置の球送りモータが起動され、球送り部材が回転駆動される。これによって、貯留誘導部のパチンコ球が待機誘導部に供給される。
また、本体枠の下部に装着された取付基板に対し、循環通路の裏回収誘導部、貯留誘導部及び待機誘導部と、前記発射装置と、前記発射装置制御基板と、前記球循環用の球送り装置と、前記球循環制御基板と、をそれぞれ配設することで、こられ循環通路、発射装置、発射装置制御基板、球循環用の球送り装置、及び球循環制御基板を相互に接近した配置関係に保つことができる。
言い換えると、発射装置、発射装置制御基板、球循環用の球送り装置、及び球循環制御基板を短い接続線を用いて容易に接続することができる。
そして、前記球循環制御基板、前記発射装置制御基板、及びメイン基板を接続不良なく、コネクタによって容易にかつ確実に接続することができる。
【０００６】
【発明の効果】
この発明によれば、循環式パチンコ機における循環通路、発射装置、発射装置制御基板、循環通路の球送り装置、及び球循環制御基板の組立ておよび発射装置、発射装置制御基板、循環通路の球送り装置、及び球循環制御基板間の配線作業を簡易化および円滑化することができる。
【０００７】
【実施例】
次に、本発明の１実施例を図面にしたがって説明する。
持ち球に交換可能な金額が記録されたゲーム専用のカード（プリベートカード）を使用して持ち球数を管理し、機内に封入された１群のパチンコ球を循環させてゲームを行う循環式パチンコ機において、パチンコ機全体をコントロールする制御系のメイン基板１００は本体枠１の裏側で遊技盤２５の後方に覆設されてＡＣ２４Ｖの電源に接続され、このメイン基板１００には外部の管理装置等に当り表示情報，球切れ情報，発射装置制御情報等の各種情報を入出力する外部接続端子１０１ａ，１０１ｂ，１０１ｃ…１０１ｇを有し、大当たり，金枠開放情報表示灯基板１０２と防犯基板１０３とが接続されたターミナル基板１０１が外部端子板１０５を介して接続されるとともに、メイン基板１００にはパチンコ球の循環制御に関連する情報を入出力する球循環制御基板１０６が接続されている。大当たり，金枠開放情報表示灯基板１０２およびターミナル基板１０１は本体枠１の上端部に配設されている。
【０００８】
防犯基板１０３には金枠９１の異常開放を検出する金枠開放検出スイッチ１０８が接続された発射装置中継基板１０７と、ゲーム中に効果音等を発するスピーカ１０９とが接続され、発射装置中継基板１０７にはパチンコ球の発射態様を制御する発射制御回路を有する発射装置制御基板８がハンドル連動スイッチ１１０を介して接続されている。
【０００９】
球循環制御基板１０６にはカードユニット接続用中継基板１１１が接続され、このカードユニット接続用中継基板１１１には表示回路基板１１２が接続されている。上記各制御回路用基板はコネクタ１２０〜１２０によって電気的に接続されている。
【００１０】
本体枠１の下端には本体枠１の前面から突出されて遊技者によって回動操作されるハンドル８３が軸支され、発射装置制御基板８には遊技者がハンドル８３に接触したときにＯＮとなるタッチスイッチ１１３と、パチンコ球を１個づつ単発発射させるときに操作される発射停止スイッチ１１４とが接続されている。
【００１１】
本体枠１の前面下部には金枠９１の下方に配設されて本枠枠１に開閉および脱着可能に係止された操作パネル９０が装着され、操作パネル９０の裏側には表示基板１１２と、カードユニット接続用中継基板１１１とが装着されている。
【００１２】
操作パネル９０の一端側にはカードが挿脱されるカード挿入口８６と、カードを走行させるカード走行機構と、カード挿入口８６の内方へ挿入されたカードに記録されたデータを読み取る読み取りヘッドと、カード挿入口８６の内方へ挿入されたカードにデータを書き込む書き込みヘッドとを有するカードリードアンドライトユニット８５が装着されている。カードリードアンドライトユニット８５と球循環制御基板１０６との間を伝送されるデータ信号はカードユニット接続用中継基板１１１によって中継される。
【００１３】
カードをカード挿入口８６内へ挿入すると、そのカードに記録された金額のデータがカードリードアンドライトユニット８５によって読み取られ、また、ゲームの終了時にはゲーム中に増減した持ち球数に相当する金額データがカードリードアンドライトユニット８５によってカードに書き込まれる。
【００１４】
カードリードアンドライトユニット８５のカード制御回路はカードユニット接続用中継基板１１１にコネクタを介して接続され、カードリードアンドライトユニット８５の前面にはカード挿入口８６内へ挿入されたカードを取出すときに操作されるカード取出しボタン９２がカード挿入口８６に隣接して取付けられている。
【００１５】
カードリードアンドライトユニット８５のカード制御回路にはゲームを開始するときに遊技者によって操作されてゲームの開始を表明する球貸しスイッチ９３と、そのパチンコ機台でのゲームを終了するときに遊技者によって操作されてゲームの終了を表明する終了スイッチ９４とが接続され、球貸しスイッチ９３の押しボタン９３ａおよび終了スイッチ９４の押しボタン９４ａは操作パネルの前面でカード挿入口８６の下方に配設されている。
【００１６】
球貸しスイッチ９３の押しボタン９３ａを押すと、球循環制御系がゲームの開始が可能な状態にセットされてパチンコ球の発射が可能な状態が出現するとともに、球貸しスイッチ９３の押しボタン９３ａを１回押すと、１回のゲームに使用する個数（例えば２５個）のパチンコ球に相当する金額（例えば１００円）がカードに記録された残金から差引かれて発射可能な所定個数の持ち球と交換される。
【００１７】
終了スイッチ９４の押しボタン９４ａを押すと、球循環制御系がゲーム開始前の状態にリセットされるとともに、終了スイッチ９４の押しボタン９４ａを押すと、ゲーム中に獲得した球数若しくは損失した球数のデータがカードリードアンドライトユニット８５に転送され、ゲームによって変動した球数に相当する金額をゲーム開始前の金額に対して加算若しくは減算したゲーム終了時の金額データがカードに書き込まれる。
【００１８】
操作パネル９０の中央部にはカードに記憶されたデータやゲームに関連する情報等の複数の情報を切換え表示する液晶ディスプレイ型の表示パネル９５が装着され、この表示パネル９５は表示回路基板１１２に接続され、表示回路基板１１２にはカード挿入口８６の上方に横一列に配列された多数個の表示ＬＥＤ９６が接続されている。
表示パネル９５の目盛部には例えばカードに記憶された残金と、現在の持ち球数と、現在までの出玉数とが文字および目盛部９７の目盛数によって指示される液晶パネルの発光部分の長さとして切換え表示される。
【００１９】
また、表示パネル９５にはそのパチンコ機の操作手順を説明する説明文等が切換え表示される。
【００２０】
表示パネル９５が接続された表示回路基板１１２には表示パネル９５の下方に配設されて遊技者によって操作される押ボタン９８ａを有し、表示パネル９５が表示する情報内容９５ａを切換えるための表示切換えスイッチ９８と、表示パネル９５の下方に配設されてゲーム中遊技者によって操作される押ボタン９９ａを有し、この押ボタン９９ａを押した時点からの持ち球数の増減情報を表示パネル９５によって表示させるための持ち球リセットスイッチ９９とが接続されている。
【００２１】
パチンコ機でゲームを開始するに際し、店内のカード貸出機に代金を入れて購入したカードをカード挿入口８６内へ挿入し、表示切換えスイッチ９８の押しボタン９８ａを押すと、パチンコ球の操作手順の説明文、カードの残金、現在の持ち球数、現在までの持ち球の増減数等が表示パネル９５に切換え表示される。
【００２２】
次に、球貸しスイッチ９３の押しボタン９３ａを押してカードに記憶された金額のうちゲームで使用する金額をその金額に相当する個数の持ち球と交換する。球貸しスイッチ９３の押しボタン９３ａを１回押すと、例えばカードの残金が１００円減少し、持ち球数が２５個増加する。
【００２３】
この状態でゲームを開始し、持ち球数が０個となるまでゲームを続行することができる。
【００２４】
ゲームを終了するか、若しくは他の機台に移る場合には終了スイッチ９４の押しボタン９４ａを押すと、ゲーム終了時の持ち球数データがカードリードアンドライトユニット８５に転送されてその持ち球数データに相当する金額がカードに書き込まれる。
【００２５】
次に、パチンコ機内に封入されてパチンコ機内を循環する一定個数のパチンコ球の循環態様を制御する球循環制御系について説明すると、本体枠１の裏面には本体枠１の開口部とほぼ等しい形状の開口部を有する方形枠状のメインセット枠２が装着され、このメインセット枠２の下部に垂立された下板２ａの裏面には横長の長方形状の取付基板３が取付けられ、この取付基板３の裏側には球循環制御基板１０６が組付けられている。メインセット枠２の開口部内には裏セット枠３０を介して遊技盤２５が脱着可能に嵌め込まれている。取付基板３は片側の下コーナ部付近に切欠き部を有する第１取付板３Ａと、この第１取付板３Ａの切欠き部に嵌め込まれた第２取付板３Ｂとに分割されている。
【００２６】
メインセット枠２の取付基板３の第１取付板３Ａの前面の片側には発射されたパチンコ球を遊技盤面へ誘導する発射レール４がレール台を介して内方に向って上傾した姿勢で取付けられている。
【００２７】
取付基板３の第２取付板３Ｂの裏面に組付けられた発射装置において、取付基板３の第２取付板３Ｂの裏面にビス着された発射モータセット板５には発射モータ６が取付けられ、この発射モータ６の出力軸６ａには凸部７ａを有する１山のモータカム７が取付けられている。
【００２８】
発射モータセット板５の下端に形成された角筒状の取付部５ａ内には発射モータ６が接続された発射装置制御基板８が装入されている。
【００２９】
モータカム７の内方で取付基板３に回動可能に貫挿支持された支軸１９の後端にはハンマセット板９が固定され、このハンマセット板９のモータカム７側端部にはモータカム７に摺接して転動するカムフォロア９ａが回転可能にピン着され、ハンマセット板９のモータカム７側端部には引きばねローラ９ｂがピン着され、ハンマセット板９の上部には後方へ延出された延出部１０ａと、この延出部１０ａの前端に直交状に連接された垂立部１０ｂと、この垂立部１０ｂの下端に連接されてループ状に湾曲された取付部１０ｃとを有する球送りワイヤ１０の取付部１０ｃがボルト８１によって締着されている。
【００３０】
取付基板３に貫設された横長状のガイド孔３ａ内には横一列に配列された複数個の調整孔１２ａが貫設されてハンマセット板９側へ延出された延出部１２ｂを有する引きばね片１２が左右方向への移動可能に貫挿され、この引きばね片１２と、ハンマセット板９の引きばねローラ９ｂとにはパチンコ球を発射させる強さを設定する引きばね１３が掛架されている。
【００３１】
モータカム９の下方には枠１の下端に軸支されて枠１の前方に突出されたハンドル８３にハンドル軸を介して連動可能に連結されたハンドル連動カム１４と、この連動カム１４に対接されたローラ１５ａを備え、連動カム１４に対向して左右方向への揺動可能に軸支された可動片１５とが配設されている。
【００３２】
引きばね片１２の下方には取付基板３に引きばね片１２に対向して左右方向への揺動可能に吊支されて揺動角度が７段階に調整される球とび調整片１６が配設され、この球とび調整片１６の上部付近には後方へ突出された支軸１６ａが挿着されている。
【００３３】
球とび調整片１６に支軸１６ａを介して揺動可能に軸支された引きばね駆動アーム１７の上端には引きばね片１２の調整孔１２ａ内に選択的に係入されて引きばね片１２と引きばね駆動アーム１７とを連動可能に連繋するピン１７ａが突設され、引きばね駆動アーム１７の下端には外端が可動片１５の上端に繋止されて可動片１５と引きばね駆動アーム１７とを連動可能に連結する連結ワイヤ１８の内端が繋止されている。
【００３４】
ハンドルを回動してハンドル連動カム１４の回動角度を調整すると、可動片１５および引きばね駆動アーム１７が揺動して引きばね片１２が左右方向へ進退動し、引きばね１３が伸縮して引きばね１３の弾発力が増減する。
【００３５】
ハンマセット板９が嵌着された前記支軸１９の前端には発射レール４の基端部上の打球位置のパチンコ球を叩打して発射レール４上から遊技盤面へ向けて発射させる打球ハンマ２０がハンマセット板９との共同回動動作可能に嵌着され、この打球ハンマ２０はボルト８１によって球送りワイヤ１０とともにハンマセット板９に締結され、打球ハンマ２０の上端には発射レール４側へ突出された叩打部２０ａが形成されている。
【００３６】
取付基板３の前面に打球ハンマ２０の上下端付近にそれぞれ対向して取着された上下１対の当てゴムホルダ２２には打球ハンマ２０が打球後に衝突して打球ハンマ２０の回動端を規定する当てゴム２３がそれぞれ嵌装されている。
【００３７】
取付基板３には発射レール４の基端部の上方に配設されてパチンコ球を取付基板３の裏側から発射レール４の基端部上へ送り込むための球送り口２６が開口されるとともに、取付基板３の前面で打球位置の若干上方には打球位置のパチンコ球の転落を阻止する球止め片２７が取付けられている。
【００３８】
取付基板３の裏面には先端部が球送り口２６付近に配設された横長状の球送り樋７０が球送り口２６側へ若干下傾して取付けられ、メインセット枠２の下部裏側にはパチンコ球を受入れて待機させかつ打球位置へ誘導して還元させる待機誘導部５２Ｅが発射制御機構に対向して配設されている。
【００３９】
球送り樋７０には取付基板３の後方に垂立された横長状の後壁板７０ａと、この後壁板７０ａの上端縁に連接されて前方へ横出された上壁板７０ｂと、後壁板７０ａの前面下部にその基端から先端の内方にわたって先端に向って下傾した状態で連接されて前方へ横出され、パチンコ球が横一列に配列されて転動可能に載置される底壁板７０ｃと、後壁板７０ａおよび底壁板７０ｃにわたって開設された複数個の透視窓７０ｄとが形成され、取付基板３と球送り樋７０の後壁板７０ａとの間で底壁板７０ｃ上には適数個のパチンコ球を１列に配列させて待機させ、１個づつ打球位置へ送り込む第８循環通路４６Ｈが形成され、第８循環誘導通路４６Ｈの先端は球送り口２６に対置されている。
【００４０】
取付基板３の裏面には球送り樋７０の下方に配設された球循環制御基板１０６が取付けられている。
【００４１】
パチンコ球が打球位置から発射される毎にパチンコ球を待機誘導部５２Ｅから打球位置へ送り込むために設けた発射球用の球送り制御機構において、球送り樋７０の後壁板７０ａの先端には前方へ横出された上支軸７３および下支軸７４が挿着され、この下支軸７４には水平状の上片２４ａと、この上片２４ａの内端付近に直交状に垂下された下片２４ｂとを有する球送りアーム２４が前記球送りワイヤ１０の上端に対向して左右方向への揺動可能に支持されている。
【００４２】
ハンマセット板９が反時計回り方向へ回動して球送りワイヤ１０が外方へ傾倒したときには球送りアーム２４の下片２４ｂが球送りワイヤ１０によって外方へ押動されて球送りアーム２４が時計回り方向へ揺動する。
【００４３】
球送り樋７０の上支軸７３には球送り樋７０の先端部内に装入されて球送りアーム２４の上片２４ａ上に設置された球送り制御片２８が球送り口２６に対向して揺動可能に支持されている。この球送り制御片２８には上面が前方に向って下傾する凹曲面状で１個のパチンコ球の受取りおよび送り出しが可能な球受け部２８ａと、この球受け部２８ａの基端に連接されて上支軸７３が貫挿されたボス部２８ｂと、このボス部２８ｂに連接されて外方へ延出された延出部２８ｃとが形成され、この延出部２８ｃの先端には球送りアーム２４の上片２４ａ上に載置された錘り２９がピン着されている。
【００４４】
球送り制御片２８は錘り２９の重量によって常には球受け部２８ａが上動した揺動姿勢で保持され、球受け部２８ａの先端縁が球送り樋７０の底壁板７０ｃ上の先頭のパチンコ球に突き当てられている。球送りアーム２４の下片２４ｂが球送りワイヤ１０で外方へ押動されたときには錘り２９が球送りアーム２４の上片２４ａで押上げられて球送り制御片２８の球受け部２８ａが下方へ変位し、球受け部２８ａの先端縁が球送り樋７０の底壁板７０ｃの先端縁に整合され、底壁板７０ｃ上の先頭のパチンコ球が球受け部２８ａ上へ移載されて前方へ送り出され、球送り口２６を通り抜けて発射レール４の基端上の打球位置へ供給される。
【００４５】
球送り樋７０の底壁板７０ｃの中央部の下側には球循環制御基板１０６に接続されて、第８循環通路４６Ｈの中央部付近で待機するパチンコ球の有無を検出する待機球検出スイッチ（近接スイッチ）７５が取付けられ、第８循環通路４６Ｈの出口から待機球検出スイッチ７５の上方位置までの間に配列される規定数のパチンコ球が不足した待機球数不足時には待機球検出スイッチ７５が検出信号を発信する。
【００４６】
メインセット枠２の取付基板３の上端に間隙を隔てて垂立された左右の壁板３ｃ，３ｄのうち、一方の壁板３ｃの内端には上部の正面形状が逆Ｖ形状で上部が壁板３ｃ上へ突出されて下部の正面形状が円弧状の球止め部材４０が連接されている。
【００４７】
球止め部材４０内の下部には発射レール４上から発射されたパチンコ球のうち、発射レール４側へ戻ったファール球を受止めて落下させる球止め片４２がその先端面を露出した状態で設置されている。
【００４８】
壁板３ｄの内端付近の下方で取付基板３の前面には図６〜図８に示すように壁板３ｄの内端縁の下端の内方にファール球を通過させる球通し口４３を隔てて縦設された内縦樋板４４ａと、この内縦樋板４４ａの下端に連接されて外方へ若干下傾した状態で横設された上横樋板４４ｂと、この上横樋板４４ｂの外端に連接されて若干外傾状に縦設された外縦樋板４４ｃと、この外縦樋板４４ｃの下端に連接されて外方へ若干下傾した状態で横設され、外端付近の端縁が円弧状に湾曲された中横樋板４４ｄと、この中横樋板４４ｄの下方に並行状に横設されて内端付近の正面形状が円弧状に形成され、外端縁付近の平面状が円弧状に湾曲された下横樋板４４ｅと、中、上横樋板４４ｄ，４４ｅの外端付近に連接されて横断面形状が円弧状に湾曲された蓋板４４ｆとを有するファール球用の表誘導樋４４が突出形成されている。
【００４９】
表誘導樋４４の上横樋板４４ｂの外端付近と、中横樋板４４ｄの内端付近とにはファール球が通過する上下１対の球通し口４５が開口されている。
【００５０】
表誘導樋４４はその各樋板４４ａ〜４４ｅの前端面に当接されて外端縁が蓋板４４ｆの内端縁に掛止された表蓋４７によって覆蓋され、表蓋４７と取付基板３との間で表誘導樋４４内には回収されたファール球が集合して通り抜ける第１循環通路４６Ａが形成され、取付基板３の前側の中央部にはファール球を回収して送り出す表回収誘導部５２Ａが配設されている。
【００５１】
表誘導樋４４の上、中横樋板４４ｂ，４４ｄ間には上下球通し口４５間に挿入された検出口６９ａを有し、球循環制御基板１０６に接続されて第１循環通路４６Ａを通り抜けるパチンコ球を検出するファール球検出スイッチ６９が挟み込まれている。発生したファール球はファール球検出スイッチ６９によって検出された後、第１循環通路４６Ａを経てファール球通し口４８から第８循環通路４６Ｈ内へ転出する。第８循環通路４６Ｈ内にはファール球が第１循環通路４６Ａから進入する場合の外に第７循環通路４６Ｇから進入するパチンコ球を除いて、パチンコ球を通過させない構成となっている。
【００５２】
取付基板３の上部には中横樋板４４ｄの外端付近と下横樋板４４ｅの外端付近との間に開設されて蓋板４４ｆによってカバーされ、第１循環通路４６Ａの先端に連通された方形孔状のファール球通し口４８が形成され、第１循環通路４６Ａへ導入されたファール球はファール球通し口４８を通り抜けて第８循環通路４６Ｈの入口付近へ導入される。
【００５３】
メインセット枠２の裏面の開口縁には中央部に開口部３０ｂを有し、メインセット枠２にヒンジ８０を介して後方への回動可能に組付けられて遊技盤２５の裏面をカバーする裏セット枠３０が添設されている。
【００５４】
裏セット枠３０はメインセット枠２の縦枠部２ｂに取付けられたヒンジ８０を介してメインセット枠２に後方への回動可能に軸支されるとともに、裏セット枠３０はメインセット枠２の裏面の開口縁付近に回動可能にビス着された複数個の締め具３１によって遊技盤２５をサンドイッチ状に挟み込んだ状態でメインセット枠２に解放可能に固止されている。
【００５５】
裏セット枠３０の下枠部３０ａの前面にはその左右端部付近からその中央部に向ってそれぞれ緩やかな勾配で下傾する左右の帯板状の集合樋３２，３２が突出形成されて間隙を隔てて並設され、この両集合樋３２の内端縁３２ａは高低差が付与されている。
【００５６】
裏セット枠３０の下枠部３０ａの前面中央部には一方の集合樋３２の内端縁３２ａに連接されて垂下された第１仕切り壁３５と、他方の集合樋３２の内端縁３２ａの下方に配設されて第１仕切り壁３５の側方に間隙を隔てて垂立された垂立片３６ａおよびこの垂立片３６ａの上端に直交状に連接された上片３６ｂを有する第２仕切り壁３６とが突出形成されている。
【００５７】
裏セット枠３０の下枠部３０ａの前面にはこの下枠部３０ａの前方に垂立された横長状の裏板３７が並着され、この裏板３７の下端の中央部付近には球通し窓３８が開口されている。
【００５８】
裏セット枠３０の下枠部３０ａと裏板３７との間で両仕切り壁３５，３６間には遊技盤２５の裏面から両集合樋３２上へ転落したセーフ球およびアウト球を通過させる第２循環通路４６Ｂが垂直状に形成されるとともに、一方の集合樋３２の内端付近と第２仕切り壁３６の水平片３６ｂとの間には球循環制御基板１０６に接続されて第２循環通路４６Ｂを通過したセーフ球およびアウト球を検出する後通過球検出スイッチ７６が挟み込まれている。
【００５９】
遊技盤２５の裏面へ送り出されたセーフ球および遊技盤２５の下端のアウト球受口２５ａから送り出されたアウト球は両集合樋３２上へ転落して内方へ転動し、第２循環通路４６Ｂを通り抜けて球通し窓３８内へ導入される。
【００６０】
取付基板３の裏面の上端付近には後方へ水平状に突出された支持板３ｅが取付基板３のほぼ全長にわたって形成され、この支持板３ｅの中央部付近には球通し窓３８を通り抜けて落下したセーフ球およびアウト球を通過させる切り欠き部３ｆが形成されている。
【００６１】
取付基板３の裏面中央部の上端付近には図６〜図８に示すように球通し窓３８の下方に縦設されて支持板３ｅの切り欠き部３ｆの端縁に連接された縦樋板５０ａと、この縦樋板５０ａの下端に連接されて内方へ下傾した上樋板５０ｂと、この上樋板５０ｂの先端に基接されて上樋板５０ｂの傾斜方向と同方向へ下傾した中樋板５０ｃと、この中樋板５０ｃの両端部にそれぞれ連接されて正面形状がほぼ左右対称の円弧状に湾曲した左右の下樋板５０ｄ，５０ｅと、中樋板５０ｃおよび右下樋板５０ｅの側方に設置されて上部が垂直状で下部が円弧状の側樋板５０ｆと、左下樋板５０ｄの円弧中心位置に配設された突片５０ｇとを有する裏誘導樋５０が突出形成され、この裏誘導樋５０は各樋板５０ａ〜５０ｆおよび突条５ｇの後端縁に当接された裏蓋５１によって覆蓋されている。裏蓋５１にはパチンコ球を透視するための透視窓５１ａ〜５１ａが開設されている。
【００６２】
取付基板３と裏蓋５１との間で、上樋板５０ｂ上、中樋板５０ｃ上および右下樋口板５０ｅと側樋板５０ｆとの間にはアウト球およびセーフ球を貯留および通過させる第３循環通路４６Ｃが形成され、左下樋板５０ｄと突片５０ｇとの間には第８循環通路４６Ｈに連通された第７循環通路４６Ｇが第８循環通路４６Ｈの入口に向って上傾した状態で形成され、取付基板３の後側の中央部にはセーフ球およびアウト球を回収して送り出す裏回収誘導部５２Ｂが配設されている。
【００６３】
取付基板３の前面中央部の下端付近には前記待機球検出スイッチ７５の検出信号に基づいて回転制御されるステッピングモータ型の球送りモータ５８が取付けられるとともに、取付基板３の裏面中央部には裏誘導樋５０の下方に連設されて取付基板３を挟んで球送りモータ５８に締結された樋本体５４が取付けられている。
【００６４】
樋本体５４には縦長状の樋部５５と、この樋部５５の下部に連接された後方開放の箱形状の取付部５６とが形成され、樋部５５にはその後面の両側縁に垂直方向に沿って突設された左右の外突条５５ａと、その後面の中央部に垂直方向に沿って突設された中突条５５ｂとが並行状に形成されるとともに、両外突条５５ａと中突条５５ｂとの間には左右１対の溝部５５ｃ，５５ｃが並行状に形成されている。
【００６５】
樋本体５４の樋部５５の下端には丸孔状の前通し孔５５ｄが開口され、この前通し孔５５ｄの孔縁の下部には円弧状に湾曲されて両外突条５５ａの下端に連接された下突条５５ｅが突設され、樋部５５の左右端面の上端にはそれぞれ軸部５５ｆが横出されている。
【００６６】
樋本体５４の取付部５６にはモータ基板ボックス５７の前端部が挿入され、このモータ基板ボックス５７内には球循環制御基板１０６に接続されて球送りモータ５８が接続されたモータ基板５９が設置されている。
【００６７】
樋本体５４の樋部５５の後側に重ね合わされた樋カバー６０の上端の左右端部にはそれぞれ樋本体５４の軸部５５ｆが嵌挿された左右１対の軸受部６０ａが突出形成され、樋カバー６０は樋本体５４に両軸部５５ｆおよび両軸受部６０ａを介して上方への回動可能に連結されている。
【００６８】
樋カバー６０には樋本体５４の両溝部５５ｃにそれぞれ対向して縦長状の溝部６０ｂ，６０ｂが左右並行状に形成されるとともに、樋カバー６０の下端には樋本体５４の前通し孔５５ｄに対向して丸孔状の後通し孔６０ｃが開口され、溝部６０ｂの両側壁面には横断面が三角形状のリブ６０ｄがパチンコ球の通過不能な間隙を隔てて垂直方向に沿って相対向状に突設されている。
【００６９】
裏回収誘導部５２Ｂの下方には樋本体５４の両溝部５５ｃと樋カバー６０の両溝部６０ｂとによって形成されて、パチンコ球が縦２列に配列されて貯留される貯留誘導部５２Ｃが配設され、この貯留誘導部５２Ｃには第４循環通路（この発明の第１縦通路に相当する）４６Ｄおよび第６循環通路（この発明の第２縦通路に相当する）４６Ｆが左右並行状に形成され、第４循環通路４６Ｄの上端は第３循環通路４６Ｃの下端に連通され、第６循環通路４６Ｆの上端は第７循環通路４６Ｇの下端に連通されている。
【００７０】
パチンコ球が待機誘導部５２Ｅから打球位置へ送り込まれる毎に貯留誘導部５２Ｃに貯留されたパチンコ球を待機誘導部５２Ｅへ送り出して補給するために設けた待機球用の球送り制御機構において、樋本体５４の前通し孔５５ｄと樋カバー６０の後通し孔６０ｃ内には球送りモータ５８の出力軸５８ａに嵌着された球送り歯車（この発明の球送り部材に相当する）６８が装入され、この球送り歯車６８の外周面には縦断面形状が円弧状で周方向へ６０°の回転対称状に配列された６個の球受け部６８ａが凹設され、球送り歯車６８は各球受部６８ａが第４循環通路４６Ｄの直下位置および第６循環通路４６Ｆの直下位置へ順次変位するように回転制御される。
【００７１】
第４、第６循環通路４６Ｄ，４６Ｆの下方には貯留誘導部５２Ｃのパチンコ球を上方から上方へＵターン状に曲進移送させる第５循環通路（この発明の方向変換通路に相当する）４６Ｅが球送り歯車６８の各球受け部６８ａによって形成されるとともに、貯留誘導部５２Ｃの途中には球送り出し部５２Ｄが配設されている。
【００７２】
球送り歯車６８は球送りモータ５８によって時計回り方向へ６０°づつ間欠的に回転駆動され、球送り歯車６８が６０°回転すると、第４循環通路４６Ｄ内の先頭のパチンコ球が第５循環通路４６Ｅ内へ進入して球送り歯車６８の球受部６８ａで受止められ、第５循環通路４６Ｅ内の先頭パチンコ球が第６循環通路４６Ｆ内へ進入し、第６循環通路４６Ｆ内の先頭のパチンコ球が押出されて第７循環通路４６Ｇ内へ進入し、第７循環通路４６Ｇ内の先頭のパチンコ球が押出されて第８循環通路４６Ｈ内へ進入し、待機誘導部５２Ｅにパチンコ球が補給される。なお、一定時間内に遊技盤面に向けて発射可能なパチンコ球数はステッピング型の球送りモータ５８の規格と発射制御回路の構成とにより定められ、１分間に１００発のパチンコ球が球送り制御片２８により打球ハンマ２０の動作と同期して打球位置へ送り出される。
【００７３】
樋本体５４の樋部５５の中央部付近の前側には取付基板３に凹設された凹部３ｇ内に嵌挿されて球循環制御基板１０６に接続され、第４循環通路４６Ｄ内のパチンコ球の不足を検出して検出信号を発信する貯留球検出スイッチ７７が設置され、遊技盤面での球詰りなどの原因によって第４循環通路４６Ｄ内のパチンコ球の貯留量が不足したときにはこの貯留球検出スイッチ７７の検出信号に基づいて球不足報知ランプが点灯して貯留球数不足状態が外部に報知される。
【００７４】
パチンコ機内には打球位置から発射されたパチンコ球のうち、セーフ球およびアウト球が打球位置→裏回収誘導部５２Ｂ→貯留誘導部５２Ｃ→待機誘導部５２Ｅ→打球位置の順にパチンコ機内を循環する循環経路と、ファール球が打球位置→表回収誘導部５２Ａ→待機誘導部５２Ｅ→打球位置の順にパチンコ機内を循環する循環経路とが形成される。
【００７５】
樋カバー６０の後側には樋カバー６０の左側の溝部６０ｂを覆蓋する蓋板６３が重ね合わされ、この蓋板６３には縦長状の蓋部６３ａと、この蓋部６３ａの側縁には樋カバー６０の反係止部６３ｂ側の側縁６０ｅに係合された係合部６３ｃが縦設され、蓋板６３はこの係合部６３ｃと係止部６３ｂとによって樋カバー６０に取外し可能に組付けられている。
【００７６】
蓋板６３の蓋部６３ａの上下端部には楕円孔状の通し孔６３ｄがそれぞれ貫設されるとともに、蓋部６３ａの前面には樋カバー６０の左側の溝部６０ｂに対置された縦長状の溝部６４が両通し孔６３ｄ間にわたって凹設されている。
【００７７】
蓋板６３の溝部６４と、樋カバー６０の左側の溝部６０ｂの両リブ６０ｃとの間に縦長状に形成されて第６循環通路４６Ｆに連通された空隙部６５内には第６循環通路４６Ｆを通過するパチンコ球に摺接して第６循環通路４６Ｆ内のパチンコ球を清浄化する左右１対の紐状のクリーニング部材６６，６６が並行状に挿通されている。蓋板６３を樋カバー６０から取外すと、両クリーニング部材６６を空隙部６５内から取出して交換することができる。
【００７８】
第６循環通路４６Ｆ内に貯留された各パチンコ球は第７循環通路４６Ｇに向けて間欠送りされる間に両クリーニング部材６６に摺接して自転しながら移行し、貯留誘導部５２Ｃに貯留された各パチンコ球はその表面に付着した汚れ等が両クリーニング部材６６によって拭き取られて磨かれかつ清浄化された状態で貯留誘導部５２Ｃから送り出されて待機誘導部５２Ｅへ送り込まれる。
【００７９】
ゲームの開始に際し、遊技者が磁気カードをカード挿入口８６内へ挿入し、球貸しスイッチ９３を押すと、球送りモータ５８が起動されて球送り歯車６８が回転し、第７循環通路４６Ｇ内から押出された１個のパチンコ球が第８循環通路４６Ｈ内へ進入して第８循環通路４６Ｈ内を転動し、球送り制御片２８の先端縁に当接して待機位置に停留する。このとき、待機球検出スイッチ７５が待機位置のパチンコ球の存在を確認するため、球送りモータ５８が継続して回転駆動されずに球送り歯車６８を１歯分回転させてパチンコ球１個を送り出した後停止状態となる。
【００８０】
次に、遊技者がハンドル８３を操作して発射モータ６が起動されると、打球ハンマ２０が駆動され、打球ハンマ２０の動作に対応して球送り制御片２８の球受け部２８ａが待機位置のパチンコ球を受取った後、打球ハンマ２０が打球位置の第１番目のパチンコ球を叩打して発射レール４上から発射させる。
【００８１】
待機位置に停留していたパチンコ球が打球位置へ向けて送り出されると同時に待機球検出スイッチ７５が待機位置におけるパチンコ球の不在を検出して球送りモータ５８が起動され、球送り歯車６８が回転して第２球目のパチンコ球が第８循環通路４６Ｈを通って待機位置へ供給され、待機球検出スイッチ７５が待機位置におけるパチンコ球の存在を再び検出し、以下同様にしてパチンコ球の補給動作が周期的に繰り返される。
【００８２】
遊技が進行して持ち球数が０となった時点、若しくは遊技者が終了スイッチ９４を押した時点で球送りモータ５８の駆動が強制的に停止されて待機位置への後続のパチンコ球の供給が停止する。
【００８３】
球送りモータ５８の強制的停止時には待機球検出スイッチ７５が待機位置のパチンコ球の不在を検出してもカード挿入口８６内へ挿入されたカードがゲーム可能となる条件を満たしていない場合には球送りモータ５８の駆動が禁止されるように制御手段によって制御され、また、一旦終了スイッチ９４を押すと、遊技可能となる条件を満たしたカードであってもカードをカード挿入口８６内へ再度挿入しない限り、再ゲームが禁止されるように制御手段によって制御される。
【００８４】
入賞によって発生した持ち球数のデータや発射球数のデータはメイン基板１００の演算制御回路によって演算および記憶され、ゲームの進行に伴って使用された遊技球数は球送りモータ５８のステップ回数に基づいて演算および記憶され、また、ファール球が発生した場合にはファール球検出スイッチ６９がファール球を検出する毎に再打球が可能となるように球送りモータ５８のステップ回数のカウント数を補正した持ち球数データが演算制御回路によって算出される。
【００８５】
次に、表示パネル９５で表示する表示内容９５ａの具体例を図１５〜図１７に従って説明すると、カードをカード挿入口８６に挿入する以前の状態では表示パネル９５には「カードを挿入して下さい」と表示され（図１５(1) 参照）、カードをカード挿入口８６に挿入して表示切換えスイッチ９８を押すと、７０００円分のカードを購入した場合には表示パネル９５には「カード残金７０００円」と、「現在の持ち球は０個」と、「現在までの出玉は０個」とが切換え表示される（図１５(2) 、(3) 、(4) 参照）。
【００８６】
次に、球貸しスイッチ９３を１回押すと、表示パネル９５には「カード残金６９００円」と表示されるとともに、表示パネル９５の目盛部９７には２５個の持ち球に相当する１目盛分の目盛が点灯表示され（図１５(5) 参照）、次に、持ち球リセットスイッチ９９を押すと、表示パネル９５には「現在の持ち球数は２５個」と表示され、目盛部９７には１目盛分の目盛が点灯表示される（図１６(1) 参照）。
【００８７】
持ち球数が１００個となるように球貸しスイッチ９３を４回押すと、表示パネル９５には「カード残金６６００円」と表示されるとともに、目盛部９７には１００個の持ち球に相当する４目盛分の目盛が点灯表示される（図１６(2) 参照）。
【００８８】
この状態で、ゲームを開始して７５個のパチンコ球が発射されたとすると、表示パネル９５には「カード残金６６００円」と表示され、目盛部９７には１００個から７５個減算した２５個に相当する１目盛分の目盛が点灯表示される（図１６(3) 参照）。
【００８９】
この時点で持ち球リセットスイッチ９９を押すと、持ち球が２５個、金額にして１００円残っている場合には表示パネル９５には「カード残金６７００円」と表示される（図１６(4) 参照）。
【００９０】
カード残金の確認後、例えば１７５個の持ち球によってゲームを再開する場合には球貸しスイッチ９３を７回押すと、１７５個の持ち球が貸し出されてカードの残金が７００円差引かれ、表示パネル９５には「カード残金６０００円」と表示されるとともに、目盛部９７には１７５個の持ち球に相当する７目盛分の目盛が点灯表示され（図１６(5) 参照）、また持ち球リセットスイッチ９９を押すと、表示パネル９５には「現在の持ち球数は１７５個」と表示され、目盛部９７には７目盛分の目盛が点灯表示される（図１７(1) 参照）。
【００９１】
この時点で、表示切換えスイッチ９８を押すと、表示パネル９５にはゲームでの損益金額（７０００円−４００円＋１００円−７００円＝６０００円）として「カード残金６０００円」と表示される（図１７(2) 参照）。
【００９２】
購入金額７０００円のうち１０００円使用して持ち球数として最終的に１０２５個残った時点で終了スイッチ９４を押したとすると、表示パネル９５には「現在の持ち球数は１０２５個」と表示され、目盛部９７には１０２５個の持ち球数に相当する４個の目盛が灯点表示され（図１７(3) 参照）、さらに、表示切換えスイッチ９８を押すと、表示パネル９５には「現在の出玉は１０００個」と表示され、目盛部９７には１０００個の賞品玉に相当する４０個の目盛が灯点表示され（図１７(4) 参照）、さらに、表示切換えスイッチ９８を押すと、表示パネル９５には終了スイッチ９４を押したときのゲームでの損益の演算結果（７０００円−１０００円＋（１０２５×４）円＝１０１００円）に基づいて「カード残金１０１００円」と表示される（図１７(5) 参照）。
【００９３】
続いて、上記した構成をもつ実施例の作用と効果を説明する。
本例では本体枠１の下部に装着された取付基板３にはパチンコ球の循環制御装置の検出手段および駆動手段を制御する球循環制御基板１０６と、パチンコ球を遊技盤面に向けて発射させる発射装置のスイッチ類および駆動手段を制御する発射装置制御基板８とを設け、本体枠１に開閉および脱着可能に係止されて前面側にカード挿入口８６と球貸しスイッチ９３と終了スイッチ９４と表示パネル９５とが設けられた操作パネル９０の裏面側には表示回路基板１１２と、カードリードアンドライトユニット８５と球循環制御基板１０６との間を伝送されるデータ信号を中継するカードユニット接続用中継基板１１１とを装着し、遊技盤２５の後方には遊技盤面に配設された入賞装置の取扱いを主として処理制御するメイン基板１００を覆設し、本体枠１の上端部にはこの本体枠１の前面上部で各種情報を点灯表示する表示灯が接続された大当たり，金枠開放情報の表示灯基板１０２と、当該パチンコ機において発生した各種情報を外部へ出力するターミナル基板１０１とを設け、前記各基板を各個所で個別に独立させた状態で前記各基板をコネクタ１２０によって電気的に接続してある。
【００９４】
このため、循環式パチンコ機における各制御装置の組立ておよび制御回路用基板間の配線作業を簡易化および円滑化し、また、各制御装置の故障の発見および修理や保守を簡易化することができる。
【図面の簡単な説明】
【図１】  本発明の１実施例を示すパチンコ機の正面図である。
【図２】  要部の一部破断裏面図である。
【図３】  メインセット枠、遊技盤および裏セット枠の分解斜視図である。
【図４】  要部の裏面図である。
【図５】  球送り樋付近の分解斜視図である。
【図６】  図２のＸ１−Ｘ１線拡大断面図である。
【図７】  表回収誘導部の分解斜視図である。
【図８】  裏回収誘導部および貯留誘導部付近の分解斜視図である。
【図９】  図２のＸ２−Ｘ２線拡大面図である。
【図１０】  図２のＸ３−Ｘ３線拡大断面図である。
【図１１】  図４のＸ４−Ｘ４線拡大断面図である。
【図１２】  図２のＸ５−Ｘ５線拡大断面図である。
【図１３】  図２のＸ６−Ｘ６線拡大断面図である。
【図１４】  パチンコ機全体の制御系の配線図である。
【図１５】  表示パネルの表示内容の例を示す表示パネルの正面図である。
【図１６】  表示パネルの表示内容の例を示す表示パネルの正面図である。
【図１７】  表示パネルの表示内容の例を示す表示パネルの正面図である。
【符号の説明】
８  発射装置制御基板
８５  カードリードアンドライトユニット
９０  操作パネル
１００  メイン基板
１０１  ターミナル基板
１０２  大当たり，金枠開放情報表示灯基板
１０６  球循環制御基板
１１１  カードユニット接続用中継基板
１１２  表示回路基板
１２０  コネクタ
【図１】
0003693567.tif 000002
【図２】
0003693567.tif 000003
【図３】
0003693567.tif 000004
【図４】
0003693567.tif 000005
【図５】
0003693567.tif 000006
【図６】
0003693567.tif 000007
【図７】
0003693567.tif 000008
【図８】
0003693567.tif 000009
【図９】
0003693567.tif 000010
【図１０】
0003693567.tif 000011
【図１１】
0003693567.tif 000012
【図１２】
0003693567.tif 000013
【図１３】
0003693567.tif 000014
【図１４】
0003693567.tif 000015
【図１５】
0003693567.tif 000016
【図１６】
0003693567.tif 000017
【図１７】
0003693567.tif 000018